(57)【要約】      （修正有）【課題】遊技機種の変更に際して簡単に対応することの出来る表示板を提供することであり、また、表示板を反復使用することによってコストの低減を可能とする。【解決手段】遊技機の上部に設置される機種表示プレートであって、予め所要形状に裁断された透明樹脂製の透明板材を重ね合わせ、この透明板材の周縁部の所要位置を止着して収納ポケットを設け、該収納ポケットに表示すべき遊技機械に採用されるキャラクターを印刷してなる表示プリントを着脱自在に挟み込み収納を可能としたものである。【選択図】図１
0003118347.tif 000002
【実用新案登録請求の範囲】
【請求項１】
遊技機の上部に設置される機種表示プレートであって、予め所要形状に裁断された透明樹脂製の透明板材を重ね合わせ、この透明板材の周縁部の所要位置を止着して収納ポケットを設け、該収納ポケットに表示すべき遊技機械に採用されるキャラクターを印刷してなる表示プリントを着脱自在に挟み込み収納を可能としたことを特徴とする遊技機用の機種表示プレート。
【請求項２】
遊技機の上部に設置される機種表示プレートであって、矩形状の寸法の異なる一対の透明板材の２辺を整合させ、透明板材における長辺側および短辺側の少なくとも一方側に突出縁を形成するように配置し、前記突出縁側に開口部を形成するように周縁部にスペーサを介存させて両透明板材を接着し一体化せしめ、表示プリントを収納する収納ポケットを形成するとともに、前記突出縁分に幟の縦ポールおよび横ポールに係止する金具の挿通孔を適宜の間隔で開設したことを特徴とする遊技機用の機種表示プレート。
【考案の詳細な説明】
【技術分野】
【０００１】  本考案は、パチンコ、スロットマシン等の遊技機において、当該機種に採用されるキャラクターを印刷したプリント挟み込み収納してなる透明な遊技機用の機種表示プレートに関するものである。
【背景技術】
【０００２】  今日において、パチンコ、スロットマシンの遊技業界は３兆円産業とも言われる程の大きな産業分野を形成するまでになっている。この産業分野を支える店舗は、都市型あるいは郊外型店舗として展開され、かつまた、一店舗における遊技機の設置台数も１００〜２００台を有するように大型化する傾向にある。【０００３】  加えて、この種の遊技に対する集客力を向上し、持続させるために、遊技中における興趣を逸らすことの無いように、種々のキャラクターを採用して遊技中における興趣を盛り上げ、また、その遊技方法を改良する努力がなされているところであり、このためには、常に、新鮮な興趣を提供する必要があることから、次々と新たなキャラクターを採用することから、遊技機の稼動サイクルが短縮する傾向にある。【０００４】  一方、遊技店においては、集客を目的にして店内の装飾、店舗への来場者に対するアピールに鋭意努力を重ねるところであって、その一環として、特に、最新の遊技台、あるいは、人気の遊技台等の設置しているラインが一目でわかるように、当該遊技機の上部に遊技機に採用されているキャラクターを表示し、注目を惹くという努力がなされている。【０００５】  従来かかる目的で使用される表示板としては、プラスチック板に直接キャラクターを多色刷りによって種々の輪郭形状に印刷し、これを前述する輪郭形状に裁断して成形されたたものが多用されている。このプラスチック製の表示板は、製作の複雑さから高価なものとなり、また、その製作には日時を要することとなり、加えて、破損、汚損による交換を考慮すると遊技機の設置台数以上の数を保有する必要から、経費が嵩むこととなる。【０００６】  このために、近時においては、遊技機に採用されているキャラクターを印刷してなる紙を、強度を付与するために厚手のラミネート樹脂により圧着し、印刷された形状に合わせて裁断してなる表示板も使用されるところであるが、これとて、専用のラミネートマシーンを必要とし、厚手のラミネート材を使用することから、前述するプラスチック製の表示板に比し安価に製作できるというものの、その製作には日時と、コストを要することになる。【０００７】  加えて、店舗側にとっても新しい遊技客の誘引、集客を維持するためには目先の変わった新しい遊技機種の導入を避けることが出来ず、短期間の間に次々と遊技機の入替えを行う必要があり、このために必然的に遊技機の回転率が高くなり、それに伴って、使用される表示板についてもその都度変更を余儀なくされることから、表示板の調達に要するコストも増大することとなる。
【特許文献１】  実用新案登録第３１０９６７９号公報
【特許文献２】  実用新案登録第３０９６３２０号公報
【考案の開示】
【考案が解決しようとする課題】
【０００８】  本考案は、前述の諸点に鑑みなされたもので、遊技機種の変更に際して簡単に対応することの出来る表示板を提供することであり、また、表示板の反復使用を可能とすることによってコストの低減を可能とする表示板を提供することである。
【課題を解決するための手段】
【０００９】  前述の課題を解決するための本考案にかかる遊技機用の機種表示プレートの構成は、遊技機の上部に設置される機種表示プレートであって、予め所要形状に裁断された透明樹脂製の透明板材を重ね合わせ、この透明板材の周縁部の所要位置を止着して収納ポケットを設け、該収納ポケットに表示すべき遊技機械に採用されるキャラクターを印刷してなる表示プリントを着脱自在に挟み込み収納を可能とした点に存するものである。【００１０】  また、前述の課題を解決するための本考案にかかる遊技機用の機種表示プレートの構成は、遊技機の上部に設置される機種表示プレートであって、矩形状の寸法の異なる一対の透明板材の２辺を整合させ、透明板材における長辺側および短辺側の少なくとも一方側に突出縁を形成するように配置し、前記突出縁側に開口部を形成するように周縁部にスペーサを介存させて両透明板材を接着し一体化せしめ、表示プリントを収納する収納ポケットを形成するとともに、前記突出縁分に幟の縦ポールおよび横ポールに係止する金具の挿通孔を適宜の間隔で開設した点に存するものである。
【考案の効果】
【００１１】  本考案にかかる遊技機用の機種表示プレートにあっては、遊技気の機種変更に伴う表示板の変更に際して、予め所要形状に裁断された機種表示プレートの形状、言い換えれば、機種表示プレートに形成された収納ポケットの形状に合わせて前記キャラクターを印刷することによって、差し替えることによって遊技機の変更に伴う表示内容の変更に対応させるため、装着するキャラクターの印刷のみで変更しうることから、機種表示プレートの形状に合わせて印刷すれば済むことから、種々の形状を簡単、かつ、安価に製作しうる等の効果を有するものである。
【実施例】
【００１２】  以下、図示の実施例に基づいて本考案にかかる遊技機用の機種表示プレートの構成について説明すると、透明樹脂製の透明板材１を円形、楕円形、矩形、扇型等の所定形状に予め裁断して本体部１ａを成形してなり、さらに、この本体部１ａに機種表示プレートを、遊技機を設置する架台の上部に設けられるキャッチャーと称される取付部材（図示を省略した。）に装着するためのアーム部２を一体的に形成する。【００１３】  このアーム部２は特に設けることを必要としないが、図示の実施例のように、機種表示プレートの形態が円形であるような場合、アーム部２を形成することによってアーム部２の後端２ａが設置基準となって、キャッチャーに装着した場合に、遊技機に対する機種表示プレートの装着状態を一定に維持することが可能となることから、アーム部２を形成することが推奨される。【００１４】  前述の透明板材１の２枚を重ね合わせ、この透明板材１における３辺に相当する周縁部、言い換えれば、後述するキャラクターの表示プリント５（図１ｃ）を挿入する開口部３を形成し、かつ、前記表示プリント５を収納できる収納ポケット４を形成するように周縁部にスペーサ６を介存させて有機溶剤で接着して遊技機用の機種表示プレートを形成する。【００１５】  遊技機用の機種表示プレートの形状は、図１の形状に加えて種々の形状を採用することが可能なものであって、例えば、その一例を図３に示すように、（ａ）円形の機種表示プレートをキャッチャーへ取り付けた場合に、斜め上方に傾斜して取り付け得るようにアーム部２を円形の接線方向に形成した形状としたもの、（ｂ）矢羽形状としたもの、（ｃ）一辺に山形の突出部を形成した略矩形状としたもの、さらには、（ｄ）扇形状としたもの等々、その他種々の形状を採用しうるものである。特に、（ｂ）および（ｃ）に示される形状の機種表示プレートにあっては、前述の実施例に示すアーム部を設けていないが、機種表示プレートの後端を傾斜縁１ｂとして形成することによって、キャッチャーに装着した場合に、遊技機に対する機種表示プレートの装着状態を上方に傾斜して設置することを可能としている。【００１６】  この遊技機用の機種表示プレートに、前述する本体部１ａにおける収納ポケット４の形状と、アーム部２の形状に合わせてデザインされた寸法、形状に遊技機に採用されるキャラクターを印刷してなる表示プリント５を作成し、本体部１ａに設けてなる開口部３から挿入し、遊技機用の機種表示プレートを完成する。【００１７】  さらに、図中仮想線で示すように、透明板材１の一方または双方の一部を、例えば、円弧状に切欠して切り欠き部７を設けることによって、該切り欠き部７を利用して表示プリント５を摘みやすく、また、表示プリント５の装着を容易にすることから望ましいものである。【００１８】  また、本考案における遊技機用の機種表示プレートに使用する透明板材１の材質としては、硬質ポリ塩化ビニールテレフタル酸系のポリエステル系樹脂であるポリエチレンテレフタレート（通称、ＰＥＴ若しくはＰＥＴ−Ａ。）を採用しうるものであるが、遊技機用の機種表示プレートの破損、汚損時における廃却に際して、焼却しても塩素などの有害ガスを発生による環境問題を生���ないことから、後者の素材が推奨される。【００１９】  本考案における遊技機用の機種表示プレートにあっては、表示プリント５を装着するポケット４を形成するに際して、２枚の透明板材１の周縁部分にスペーサ６を介存させて止着せしめることから、表示プレート全体の剛性が高まって型くずれせず、その装着作業が容易なもので、しかも、遊技機の機種変更に伴う表示プリント５の変更に際して、従来の如くプラスチック製の如き格別の機種表示プレートを必要とせず、また、ラミネート加工をする必要もなくなり、機種に合わせた表示プリント５を通常の印刷技術によって印刷されたものを、所要の形状に裁断して表示プリント５とし、これを交換することで対応することが可能となり、安価に製作しうることから実用性に秀れたものとなる。【００２０】  図４は、本考案に係る遊技機用の機種表示プレートの第２の実施例を示すものであって、機種表示プレートとして幟タイプの形態を示すものである。即ち、矩形状を有する透明樹脂製の第１の透明板材１０に対して、これより幅×長さ寸法において小回りの第２の透明板材１１を準備し、前記透明板材１１における３辺に相当する周縁部にスペーサ１３を介存させて有機溶剤によって両透明板材１０、１１を接着して一体化せしめ、幟型の遊技機用の機種表示プレートを形成する。【００２１】  詳述すれば、両透明板材１０，１１の２辺を整合させ、透明板材１０の一方の長辺側および短辺側にそれぞれ突出縁１０ａ、１０ｂを形成するように配置し、キャラクターの表示プリント（図示を省略。）を挿入する開口部１２を前記突出縁１０ａ側に開口するように前記透明板材１１における３辺に相当する周縁部にスペーサ１３を介存させて有機溶剤によって両透明板材１０に接着して一体化せしめ、前記表示プリントを収納できる収納ポケット１４を形成するとともに、該突出縁１０ａ、１０ｂに図示を省略したが幟を掛止する縦ポールおよび横ポールに係止する金具の挿通孔１５を適宜の間隔で開設したものである。【００２２】  また、前述する実施例と同様に、図中仮想線で示すように、透明板材１１の一部に、円弧状に切欠して切り欠き部１６を設けることによって、該切り欠き部１６を利用して表示プリントを摘みやすく、また、表示プリントの装着を容易にすることから望ましいものである。【００２３】  前述の実施例における幟型の遊技機用の機種表示プレートにあっても、遊技機の機種変更に伴う表示プリントの変更に際して、機種に合わせた表示プリントを準備し、これを交換することで対応することが可能となり、また、その装着作業が容易なもので、実用性に秀れたものとなる。
【図面の簡単な説明】
【００２４】
【図１】  本考案に係る遊技機用の機種表示プレートの分解説明図。
【図２】  図１におけるＡ−Ａ線拡大断面図。
【図３】  本考案に係る遊技機用の機種表示プレートの形態を示す説明図。
【図４】  本考案に係る遊技機用の機種表示プレートの第２の実施例を示す分解説明図。
【符号の説明】
【００２５】  １、１０、１１：透明板材
２：アーム部
３、１２：開口
４、１４：収納ポケット
５：表示プリント
６、１３：スペーサ
【図１】
0003118347.tif 000003
【図２】
0003118347.tif 000004
【図３】
0003118347.tif 000005
【図４】
0003118347.tif 000006